(57)【特許請求の範囲】
【請求項１】
被写体からの被写体光を撮像する撮像素子により撮影された撮影画像と次の撮影に関する第１撮影情報とを当該撮影画像の撮影直後に表示部に再生表示する確認再生モードと、記録媒体に記録されている画像を前記表示部に再生表示する通常再生モードとの間の移行を制御する制御部と、
前記確認再生モード下で前記撮影画像を再生表示している際に、前記第１撮影情報に含まれる撮影条件の設定に関する操作を行う操作部と、を備え、
前記制御部は、前記確認再生モード下において前記操作部による前記撮影条件の設定を変更させる操作がなされた後、前記通常再生モードに移行させず前記確認再生モードを維持せしめることを特徴とする撮像装置。
【請求項２】
前記確認再生モードでは、前記撮影直後の撮影画像を、互いに異なる複数の表示形態で前記表示部に表示可能であり、
前記制御部は、
前記確認再生モード下において、前記撮影直後の撮影画像の表示形態を他の表示形態に変更する指示がなされた場合には前記確認再生モードを維持せしめ、
前記確認再生モード下において、前記記録媒体に記録されている画像を前記表示部に再生表示する指示がなされた場合には、前記確認再生モードから前記通常再生モードに移行させることを特徴とする請求項１に記載の撮像装置。
【請求項３】
前記表示部は、前記確認再生モードにおいて、前記撮影画像と前記第１撮影情報とは異なる当該撮影画像に関する第２撮影情報とを表示することを特徴とする請求項２に記載の撮像装置。
【請求項４】
前記第１撮影情報は、装置本体に電力を供給するバッテリの残容量および前記記録媒体の残容量の少なくともいずれか一方を含むことを特徴とする請求項３に記載の撮像装置。
【請求項５】
前記確認再生モードは、前記複数の表示形態の一形態として、前記撮影画像が適正な撮影条件で撮影されたか否かの診断結果を表示する所定表示形態を含み、
前記表示部は、前記確認再生モードにおいて前記操作部により前記所定表示形態に切り替える操作がなされた後、前記診断結果を表示することを特徴とする請求項３または請求項４に記載の撮像装置。
【請求項６】
前記操作部は、前記確認再生モード下では外部操作に応じて前記撮影条件の設定に関する機能を実行させ、前記通常再生モード下では外部操作に応じて前記撮影条件の設定に関する機能とは異なる機能を実行させる操作部材を含むことを特徴とする請求項１〜請求項５の何れか一項に記載の撮像装置。
【請求項７】
前記撮影条件の設定に関する機能は、前記撮影条件を変更する機能を含むことを特徴とする請求項６に記載の撮像装置。
【発明の詳細な説明】
【技術分野】
【０００１】
本発明は、撮影画像を撮影直後に確認可能な撮像装置に関するものである。
【背景技術】
【０００２】
撮影画像を撮影直後に表示部に再生表示するとき、撮影画像と共に電池の残容量や記録媒体の残コマ数等の撮影に必要な情報を表示し、記録媒体に記録されている画像を表示部に再生表示するとき、画像と共にファイル名や撮影日時等の、再生表示されている画像に関する情報を表示する電子カメラが提案されている（例えば、特許文献１参照）。
【先行技術文献】
【特許文献】
【０００３】
【特許文献１】特開２００８−１１８５３１号公報
【発明の概要】
【発明が解決しようとする課題】
【０００４】
ところで、一般的なカメラ等の撮像装置においては、撮影画像を撮影直後に表示部に再生表示させている際に、撮影画像を拡大・縮小表示させるための操作等、撮影画像に関する操作がなされると、電池の残容量や記録媒体の残コマ数等の撮影に必要な情報の表示を終了し、ファイル名や撮影日時等の画像に関する情報の表示を開始していた。したがって、次の画像を撮影しようとしたとき、撮影に必要な情報を視認することができず、撮影タイミングを逃す場合等があった。
【０００５】
本発明の目的は、撮影直後に再生表示されている撮影画像について操作がなされた場合においても、次の画像の撮影に必要な情報の表示を継続させることができる撮像装置を提供することである。
【課題を解決するための手段】
【０００６】
本発明は以下のような解決手段により上記課題を解決する。
【０００７】
本発明の撮像装置は、被写体からの被写体光を撮像する撮像素子により撮影された撮影画像と次の撮影に関する第１撮影情報とを当該撮影画像の撮影直後に表示部に再生表示する確認再生モードと、記録媒体に記録されている画像を前記表示部に再生表示する通常再生モードとの間の移行を制御する制御部と、前記確認再生モード下で前記撮影画像を再生表示している際に、前記第１撮影情報に含まれる撮影条件の設定に関する操作を行う操作部と、を備え、前記制御部は、前記確認再生モード下において前記操作部により前記撮影条件の設定を変更させる操作がなされた後、前記通常再生モードに移行させず前記確認再生モードを維持せしめることを特徴とする。
【発明の効果】
【０００８】
本発明の撮像装置によれば、撮影直後に再生表示されている撮影画像について操作がなされた場合においても、次の画像の撮影に必要な情報の表示を継続させることができる。
【図面の簡単な説明】
【０００９】
【図１】実施の形態に係るカメラの外観を示す上面図である。
【図２】実施の形態に係るカメラの外観を示す背面図である。
【図３】実施の形態に係るカメラのシステム構成を示すブロック図である。
【図４】実施の形態に係るカメラにおいて、撮影後、確認再生モードへ移行する際の処理について説明するためのフローチャートである。
【図５】実施の形態に係る背面液晶パネルの表示例を示す図である。
【図６】実施の形態に係るカメラにおいて、確認再生モード下でユーザーにより何れかの操作がなされた際の処理について説明するためのフローチャートである。
【図７】実施の形態に係る背面液晶パネルの表示例を示す図である。
【図８】実施の形態に係る背面液晶パネルの表示例を示す図である。
【図９】実施の形態に係る背面液晶パネルの表示例を示す図である。
【図１０】実施の形態に係る背面液晶パネルの表示例を示す図である。
【図１１】実施の形態に係る背面液晶パネルの表示例を示す図である。
【図１２】実施の形態に係るカメラにおいて、確認再生モード及び通常再生モードのそれぞれにおいて同一の操作部材を用いて操作がなされた際の処理について説明するためのフローチャートである。
【図１３】実施の形態に係る背面液晶パネルの表示例を示す図である。
【図１４】実施の形態に係る背面液晶パネルの表示例を示す図である。
【図１５】実施の形態に係る背面液晶パネルの表示例を示す図である。
【発明を実施するための形態】
【００１０】
以下、図面を参照して、本発明の実施の形態に係る撮像装置としてのカメラについて説明する。図１及び図２は、この実施の形態に係るカメラ２の外観を示す図であり、図１は上面図、図２は背面図である。図１に示すように、カメラ２の上面には、カメラ２の電源をオンオフする電源スイッチ４、撮影等を指示するためのレリーズスイッチ６、撮影に必要な情報（後述する）の背面液晶パネル１２（図２参照）への表示を指示するための情報表示ボタン８、及び撮影モードを切り換えるための撮影モードダイヤル１０が設けられている。
【００１１】
また、図２に示すように、カメラ２の背面には、画像等を再生表示するための背面液晶パネル１２、記録媒体３０（図３参照）に記録されている画像の再生表示を指示するための再生ボタン１４、カメラ２の各種設定を行うメニュー画面の表示を指示するためのメニューボタン１６、背面液晶パネル１２に再生表示されている画像の縮小表示を指示するための縮小ボタン１８、背面液晶パネル１２に再生表示されている画像の拡大表示を指示するための拡大ボタン２０、メニュー項目等の選択やカーソルを移動させる等のための十字操作キー２２、ＯＫ（決定）ボタン２３、コマンドダイヤル２４、露出を固定するためのＡＥ−Ｌボタン２５が設けられている。
【００１２】
図３は、この実施の形態に係るカメラ２のシステム構成を示すブロック図である。図３に示すように、カメラ２は、制御部２６、撮像素子２８、記録媒体３０、背面液晶パネル１２、及び操作部３２を備えて構成されている。制御部２６は、ＣＰＵ等により構成され、カメラ２の各部を統括的に制御する。この実施の形態では、撮像素子２８により撮影された撮影画像をその撮影直後に背面液晶パネル１２に再生表示する確認再生モードと、記録媒体３０に記憶されている画像を背面液晶パネル１２に再生表示する通常再生モードとの間の移行を制御する。
【００１３】
撮像素子２８は、ＣＣＤまたはＣＭＯＳ等により構成され、図示しない撮影レンズを透過した被写体からの被写体光を撮像する。記録媒体３０は、カメラ２２に設けられた記録媒体差込口（図示せず）に着脱可能に装着される可搬性を有する記録媒体である。記録媒体３０には、撮像素子２８から出力された撮像信号に基づき生成された画像データ等、複数の画像データが撮影日時、絞り値、シャッタスピード等、その他画像に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で記録されている。
【００１４】
背面液晶パネル１２は、撮像素子２８から読出された撮像信号に基づくスルー画像、記録媒体３０に記録されている画像データから形成される画像、記録媒体３０に記録されている画像に関する情報、及びメニュー画面等を表示する。操作部３２は、電源スイッチ４、レリーズスイッチ６、情報表示ボタン８、撮影モードダイヤル１０、再生ボタン１４、メニューボタン１６、縮小ボタン１８、拡大ボタン２０、十字操作キー２２、ＯＫ（決定）ボタン２３、コマンドダイヤル２４、及びＡＥ−Ｌボタン２５を含んで構成されている。
【００１５】
次に、図４に示すフローチャートを参照して、実施の形態に係るカメラ２において、撮影後、確認再生モードへ移行する際の処理について説明する。
【００１６】
まず、制御部２６は、ユーザーにより撮影開始を指示するレリーズスイッチ６が押下され、そのことをカメラ２が検知すると（ステップＳ１０）、撮像素子２８による被写体の撮影を行い、そのときに撮像素子２８から出力される撮像信号を取得し、取得した撮像信号に基づいて画像データを生成し、生成した画像データに対して画像処理を施す（ステップＳ１１）（いわゆる撮影動作を行う）。次に、制御部２６は、撮影中フラグを１に設定し（ステップＳ１２）、ステップＳ１１において画像処理された画像データから形成される画像、即ち撮像素子２８により撮影された撮影画像を背面液晶パネル１２に再生表示する（ステップＳ１３）。この再生表示は、ステップＳ１１で撮影した画像を、撮影者（ユーザー）が撮影直後に背面液晶パネル１２で確認するために行われるものである。ステップＳ１２において撮影中フラグが１に設定され、ステップＳ１３において撮影画像をその撮影直後に背面液晶パネル１２に再生表示することにより、カメラ２は確認再生モードに移行する。なお、制御部２６は、ステップＳ１３において撮影画像を背面液晶パネル１２に再生表示している間に、撮影画像に基づく画像データを記録媒体３０に記録する。
【００１７】
図５は、ステップＳ１３において、撮影画像が背面液晶パネル１２に再生表示されている状態（確認再生モードにおける確認用再生画面）を示す図である。図５に示すように、背面液晶パネル１２には、確認再生モード下（撮影中フラグが１に設定されている場合）において、撮影済みの画像（図４のステップＳ１１で撮影されて記録媒体３０に記録された画像）である撮影画像４０と共に、次の（現時点以降の）撮影に必要な情報（カメラ２に関する情報）４２が撮影情報表示エリア４２に表示される（ここで、本説明では便宜上、この「表示エリア４２」と、該表示エリア４２に表示される「次の撮影に必要な情報４２」を同一符号「４２」で示す）。撮影に必要な情報４２として、例えば図５に示すように、シャッタスピード４２ｂ、絞り値４２ｃ、調光補正マーク４２ｄ、感度自動制御を選択したときに表示されるマーク４２ｅ等の撮影条件、カメラ２に電力を供給するバッテリの残容量を示すマーク４２ｆ、記録媒体３０の残容量に対して記録可能なコマ数４２ｇ、記録可能コマ数が１０００コマ以上ある場合に表示される補助表示４２ｈ等が表示される。なお、この実施の形態では、次の撮影に必要な情報４２として、バッテリの残容量、記録媒体３０の残容量、及び撮影条件等が背面液晶パネル１２の表示エリア４２に表示されているが、これらのうちバッテリの残容量、記録媒体３０の残容量、及び撮影条件等の少なくとも１つが背面液晶パネル１２の表示エリア４２に表示されていればよい。
【００１８】
なお、確認再生モード（図５に示す画面）では、表示エリア４２に表示される情報は、撮影済みの画像４０（図５において背面液晶パネル１２に表示されている画像４０）を撮影したときの撮影情報（撮影条件など）を示すものでは無い。このことをユーザーに誤解を与えること無く表示（報知）するために、例えば、この表示エリア４２内に、「ここには現在のカメラの状態が表示されています」等のメッセージを同時に表示するようにしても良い。
【００１９】
上述のように、確認再生モード下において、撮影画像４０を撮影直後に再生表示することにより、ユーザーは記録媒体３０に記録される画像を視認することができる。そして、撮影画像４０と共に、次の撮影に必要な情報４２として現在カメラに設定されているシャッタスピード４２ｂ、絞り値４２ｃ、バッテリの残容量を示すマーク４２ｆ、及び記録可能なコマ数４２ｇ等の「次の撮影に必要な情報」を表示しているため、ユーザーは、確認再生モードで撮影直後の画像を確認している最中であっても、次の撮影に必要な情報を把握することでき、次の撮影のために画面を切り換えてカメラ２に設定されている撮影条件の確認などを行わずとも、円滑に次の撮影を行うことができる。
【００２０】
次に、図６に示すフローチャートを参照して、実施の形態に係るカメラ２において、確認再生モード下でユーザーにより何れかの操作がなされた際の処理について説明する。
【００２１】
まず、制御部２６は、確認再生モード下であって、図５に示すように背面液晶パネル１２に撮影画像４０及び撮影に関する情報４２が表示されている状態で、ユーザーにより操作部３２を介して操作がなされたか否かを判別する（ステップＳ２０）。ステップＳ２０において操作部３２を介して操作がなされたと判別され（ステップＳ２０、Ｙｅｓ）、その操作部３２による操作が、撮影画像４０に関する操作、または撮影条件の設定に関する操作がなされた場合には、制御部２６は、確認再生モードを継続させる。即ち、撮影画像４０の表示形態を他の表示形態に変更する操作指示が操作部３２を介してなされた場合には、制御部２６は、通常再生モードに移行せず、確認再生モードを継続させる。ここで、撮影画像４０に関する操作とは、撮影画像４０を拡大または縮小させる操作、撮影画像４０の撮影データ、ハイライト情報やＲＧＢヒストグラム情報を表示させる操作等が含まれる。また、撮影条件の設定に関する操作とは、シャッタスピードや絞り値等を変更する操作、露出の固定（いわゆるＡＥロック）やピントの固定（いわゆるＡＦロック）等を行う操作等が含まれる。
【００２２】
例えば、ステップＳ２０において操作部３２を介して操作がなされたと判別され（ステップＳ２０、Ｙｅｓ）、その操作部３２による操作が拡大ボタン２０の押下であった場合には（ステップＳ２１）、制御部２６は、例えば図７に示すように、背面液晶パネル１２に撮影画像４０を拡大させた拡大画像４０ａを表示する（ステップＳ２２）。このとき、制御部２６は、拡大ボタン２０の押下が撮影画像４０の表示形態を他の表示形態に変更する指示操作であることから、確認再生モード（撮影中フラグ＝１）を継続させる。そして、図７に示すように、背面液晶パネル１２に拡大画像４０ａと共に、表示エリア４２上に、撮影に必要な情報４２の表示を継続させる。
【００２３】
また、ステップＳ２０において操作部３２を介して操作がなされたと判別され（ステップＳ２０、Ｙｅｓ）、その操作部３２による操作が縮小ボタン１８の押下であった場合には（ステップＳ２３）、制御部２６は、例えば図８に示すように、背面液晶パネル１２に撮影画像４０を縮小させた縮小画像４０ｂを表示する（ステップＳ２４）。このとき、制御部２６は、縮小ボタン１８の押下が撮影画像４０の表示形態を他の表示形態に変更する指示操作であることから、確認再生モード（撮影中フラグ＝１）を継続させる。そして、図８に示すように、背面液晶パネル１２に縮小画像４０ａと共に、撮影に必要な情報４２の表示を継続させる。なお、図８において背面液晶パネル１２に表示されている縮小画像４４ａ，４４ｂ，４４ｃは、撮影画像４０が撮影される前に撮影され、記録媒体３０に記録されている画像の縮小画像である。
【００２４】
一方、撮影画像４０の表示形態を他の表示形態に変更する操作指示でなく、記録媒体３０に記録されている他の画像を背面液晶パネル１２に再生表示する操作指示が操作部３２を介してなされた場合には、制御部２６は、確認再生モードから通常再生モードに移行させる。
【００２５】
例えば、ステップＳ２０において操作部３２を介して操作がなされたと判別され（ステップＳ２０、Ｙｅｓ）、その操作部３２による操作が再生ボタン１４の押下であった場合には（ステップＳ２５）、制御部２６は、背面液晶パネル１２に最後に撮影した画像、即ち撮影画像４０を再生表示する（ステップＳ２６）。このとき、制御部２６は、再生ボタン１４の押下が記録媒体３０に記録されている他の画像を背面液晶パネル１２に再生表示する指示操作であることから、撮影中フラグを１から０に設定することにより（ステップＳ２６）、確認再生モードから通常再生モードに移行させる。そして、制御部２６は、背面液晶パネル１２の、撮影に必要な情報４２が表示されていた表示エリア４２内に、この撮影に必要な情報４２に代えて、背面液晶パネル１２に再生表示されている画像、即ち撮影済み画像４０に関する情報を表示する。この撮影済み画像４０に関する情報については、図１１にて後述する。
【００２６】
その他、例えばステップＳ２０において操作部３２を介して操作がなされたと判別され（ステップＳ２０、Ｙｅｓ）、その操作部３２による操作が十字操作キー２２の上下ボタンの押下であった場合には（ステップＳ２７）、制御部２６は、撮影画像４０に関する詳細な情報（例えば図９に示すような撮影データ４６）を表示エリア４６内に表示する（ステップＳ２８）。（ここで、本説明では便宜上、この「表示エリア４６」と、該表示エリア４６に表示される「撮影データ４６」を同一符号「４６」で示す）。このとき、制御部２６は、十字操作キー２２の上下ボタンの押下が撮影画像４０の表示形態を他の表示形態に変更する指示操作、換言すれば確認再生モードにおいて複数備えられている確認再生用画面を順次切り換える指示操作であることから、確認再生モード（撮影中フラグ＝１）を継続させる。そして、図９に示すように、背面液晶パネル１２に撮影データ４６と共に、表示エリア４２には「次の撮影に必要な情報４２」の表示を継続させる。撮影データ４６として、例えば図９に示すように、撮影画像４０の縮小画像４６ａ、撮影画像４０を撮影した使用カメラ４６ｂ、撮影画像４０の撮影時のＲＧＢのヒストグラム４６ｃ、撮影モード４６ｄ、シャッタスピード４６ｅ、絞り値４６ｆ、感度４６ｇ、焦点距離４６ｈ、ホワイトバランス４６ｉ、色空間４６ｊ、画像仕上がり設定４６ｋ等が、表示エリア４６内に表示される。
【００２７】
上述したように、確認再生モードにおいては、確認再生用画面が複数設けられている。この確認再生用画面には、既述したような、撮影直後に背面液晶パネル１２に表示される初期画面（図５の画面）、初期画面（図５）の状態からユーザーにより拡大操作がなされたときに背面液晶パネル１２に表示される画面（図７）、初期画面（図５）の状態からユーザーにより縮小操作がなされたときに背面液晶パネル１２に表示される画面（図８）、初期画面（図５）の状態からユーザーにより十字操作キー２２を一度操作されたときに背面液晶パネル１２に表示される画面（図９）等がある。この他にも、不図示ではあるが、撮影画像４０に関するハイライト情報を表示する画面、撮影画像４０に関するＲＧＢヒストグラム情報を表示する画面などが、確認再生用画面として用意されている。制御部２６は、確認再生モード下であって、十字操作キー２２の上下ボタンが押下される度、或いは拡大操作や縮小操作がなされる度に、上述した複数の確認再生用画面を順次、背面液晶パネル１２に切り替え表示する。これらの操作はすべて撮影画像４０の表示形態を他の表示形態に変更する指示操作であることから、確認再生モード（撮影中フラグ＝１）は継続され、表示エリア４２上には撮影に必要な情報４２の表示も継続される。
【００２８】
また本実施形態は更に、撮影確認用画面の一形態ではあるが特殊な形態の画面として、図１０に示す画面を用意している。図１０は、例えば図９に示すような確認再生用画面の一画面を表示している状態から、十字操作キー２２の上下ボタンの押下により背面液晶パネル１２上に切換表示される画面の一形態である。図１０の画面は、撮影画像４０が適正な撮影条件で撮影されたか否かの診断結果４８を表示した状態を示す。例えば、撮影画像４０の中で、白とびしている部分や黒つぶれしている部分が存在した場合には、図１０に示すように、診断結果４８においてその部分を丸印４８ａ等で指し示する。それと共に表示エリア４２´内には、そのような白とびや黒つぶれの現象を低減できる推奨撮影条件（推奨シャッタスピード４２ｂ´、絞り値４２ｃ´等）を表示する。この推奨撮影条件は、撮影画像４０とその撮影画像を撮影したときの撮影条件の記録情報とに基づいて、カメラ２が自動的に求めた撮影条件である。なおこの表示エリア４２´には、上述の推奨撮影条件の他に既述の調光補正マーク、感度マーク、バッテリ残容量、記録可能コマ数などが表示される。
【００２９】
図１０において、推奨撮影条件を表示するときには、表示中のシャッタ秒や絞り値が推奨値（未だカメラ２に設定されている設定値では無い）ことをユーザーに報知するために、推奨値を点滅表示させるようにしても良い。また現在カメラ２に設定されている撮影条件（シャッタ秒時と絞り値）と推奨撮影条件とを所定周期で交互に切換表示するようにしても良い（その際に、現在カメラ２に設定されている設定値については、表示エリア４２´内における上記他の表示内容と同じ表示形態（例えば同じ色または同じ輝度）で表示することで、現在のカメラ設定値である旨を表し、推奨値については上記他の表示内容とは異なる表示形態（色または輝度）で表示することで、推奨値と設定値とが識別可能となるように表示しても良い）。なおユーザー操作によって、表示されている推奨値を新たな撮影条件として設定できるようにしても良い。
【００３０】
また、ステップＳ２０において操作部３２を介して操作がなされたと判別され（ステップＳ２０、Ｙｅｓ）、その操作部３２による操作が十字操作キー２２の左右ボタン（この実施の形態では左ボタン）の押下であった場合には（ステップＳ２９）、制御部２６は、例えば図１１に示すように、背面液晶パネル１２に撮影画像４０を撮影する前に撮影された画像（記録媒体３０に記録されている画像）４４を再生表示する（ステップＳ３０）。このとき、制御部２６は、再生ボタン１４の押下が撮影画像４０以外の、記録媒体３０に記録されている画像を背面液晶パネル１２に再生表示する指示操作であることから、撮影中フラグを１から０に設定することにより（ステップＳ３０）、確認再生モードから通常再生モードに移行させる。そして、制御部２６は、図１１に示すように、背面液晶パネル１２の撮影に必要な情報４２が表示されていた表示領域４２（図５）と同等の表示領域５０に、次の撮影に必要な情報４２に代えて、背面液晶パネル１２に再生表示されている画像４４に関する情報５０を表示する。画像に関する情報５０として、例えば図１１に示すように、画像５０についての、フォルダ名５０ａ、ファイル名５０ｂ、画質モード５０ｃ、撮影日５０ｄ、撮影時刻５０ｅ等の、Ｅｘｉｆ形式で画像に付随して記録媒体３０に記録されている情報が表示される。
【００３１】
このように、通常再生モード（図１１に示す画面）では、表示エリア５０に表示される情報は、次の撮影に関する情報では無い。このことをユーザーに誤解を与える無く表示（報知）するために、例えば、この表示エリア５０内に、「ここには画面表示されている画像に関する情報が表示されています」等のメッセージを同時に表示するようにしても良い。
【００３２】
次に、図１２に示すフローチャートを用いて、実施の形態に係るカメラ２において、確認再生モード及び通常再生モードのそれぞれにおいて同一の操作部材を用いて操作がなされた際の処理について説明する。本実施形態では、通常再生モード下においての機能と、確認再生モード下においての機能がそれぞれ異なる操作部材について、２つの操作部材の例（コマンドダイヤルとＡＥロック操作部材）を説明する。
【００３３】
まず、制御部２６は、通常再生モード下であるか否か、即ち撮影中フラグが０であるか否かを判別する（ステップＳ４０）。ステップＳ４０において撮影中フラグが０であると判別された場合には（ステップＳ４０、Ｙｅｓ）、通常再生モード下であると判別し、ユーザーにより操作部３２を介して操作がなされたか否かを判別する（ステップＳ４１）。ステップＳ４１において操作部３２を介して操作がなされたと判別され（ステップＳ４１、Ｙｅｓ）、その操作部３２による操作がコマンドダイヤル２４の操作であった場合には（ステップＳ４２）、制御部２６は、コマンドダイヤル２４の操作量に応じて、画像をコマ送りする（ステップＳ４３）。即ち、背面液晶パネル１２に表示されている画像の前または次に記録媒体３０に記録されている画像の表示を行う。例えば、コマンドダイヤル２４を右側に回した場合には次の画像を表示し、コマンドダイヤル２４を左側に回した場合には前の画像を表示する。
【００３４】
また、ステップＳ４１において操作部３２を介して操作がなされたと判別され（ステップＳ４１、Ｙｅｓ）、その操作部３２による操作が、撮影モード時にはＡＥロックボタンとして機能するＡＥ−Ｌボタン２５の押下であった場合には（ステップＳ４４）、制御部２６は、背面液晶パネル１２に表示されている画像の画像プロテクト、即ち画像を保護する設定を行う（ステップＳ４５）。画像プロテクトとは、誤操作によって画像を誤って削除することを防止するための機能である。例えば通常再生モード下において、図１１に示すように背面液晶パネル１２に画像４４が表示されている状態で、ＡＥ−Ｌボタン２５の押下があった場合、制御部２６は、画像４４を保護する設定を行い、図１３に示すように、画像プロテクトがなされたことを示すプロテクトマーク５２を背面液晶パネル１２に表示する。
【００３５】
一方、ステップＳ４０において撮影中フラグが０でない、即ち撮影中フラグが１であると判別された場合には（ステップＳ４０、Ｎｏ）、制御部２６は、確認再生モード下であると判別し、ユーザーにより操作部３２を介して操作がなされたか否かを判別する（ステップＳ４６）。ステップＳ４６において操作部３２を介して操作がなされたと判別され（ステップＳ４６、Ｙｅｓ）、その操作部３２による操作がコマンドダイヤル２４の操作であった場合には（ステップＳ４７）、制御部２６は、コマンドダイヤル２４の操作量に応じて、シャッタスピード及び絞り値の少なくとも一方を変更する（ステップＳ４８）。例えば、確認再生モード下において、図５に示すように背面液晶パネル１２に撮影直後の撮影画像４０が表示されている状態で、コマンドダイヤル２４の操作がなされた場合、制御部２６は、次の撮影におけるシャッタスピード及び絞り値の少なくとも一方を変更する。そして、図１４に示すように、変更されたシャッタスピード５４ａ及び絞り値５４ｂを、次の撮影に必要な情報５４として表示エリア５４に表示する（本図１４でも、前述までの図面の場合と同様に便宜上、表示エリア５４と情報５４とにおいて、符号「５４」を兼用する）。
【００３６】
また、ステップＳ４６において操作部３２を介して操作がなされたと判別され（ステップＳ４６、Ｙｅｓ）、その操作部３２による操作がＡＥ−Ｌボタン２５の押下であった場合には（ステップＳ４９）、制御部２６は、現在自動的に設定されている露出を固定する設定（ＡＥロック）を行う（ステップＳ５０）。例えば、確認再生モード下において、図５に示すように背面液晶パネル１２に撮影画像４０が表示されている状態で、ＡＥ−Ｌボタン２５の押下があった場合、制御部２６は、露出を固定する設定を行う。そして、図１５に示すように、ＡＥロックがなされたことを示すＡＥロックマーク５６ａを撮影に必要な情報５６として表示する。
【００３７】
この実施の形態では、コマンドダイヤル２４やＡＥ−Ｌボタン２５のように同一の外部操作部材であっても、通常再生モード下と確認再生モード下とで異なる機能を実行する。即ち、確認再生モード下においてコマンドダイヤル２４及びＡＥ−Ｌボタン２５が操作されたとき、撮影条件の設定に関する機能を実行する。それに対し、通常再生モード下においてコマンドダイヤル２４及びＡＥ−Ｌボタン２５が操作されたとき、撮影条件の設定に関する機能と異なる機能（この実施の形態では画像コマ送り及び画像プロテクト設定）を実行する。このように、同一の外部操作部材に、異なる再生モード下で異なる機能を実行させることにより、カメラ２に設ける外部操作部材の数を減少させることができるため、カメラ２の小型化及び低コスト化を図ることができる。
【００３８】
この実施の形態に係るカメラ２によれば、撮影直後に再生表示されている撮影画像についての操作及び撮影条件の設定に関する操作がなされた場合においても、通常再生モードに移行せず、確認再生モードを継続する。したがって、次の画像の撮影に必要な情報、例えばシャッタスピード、絞り値、バッテリの残容量及び記録可能なコマ数等の表示を継続させることができるため、撮影タイミングを逃すことなく、次の画像の撮影を迅速に行うことができる。
【符号の説明】
【００３９】
２…カメラ、４…電源スイッチ、６…レリーズスイッチ、８…情報表示ボタン、１０…撮影モードダイヤル、１２…背面液晶パネル、１４…再生ボタン、１６…メニューボタン、１８…縮小ボタン、２０…拡大ボタン、２２…十字操作キー、２３…ＯＫ（決定）ボタン、２４…コマンドダイヤル、２５ＡＥ−Ｌボタン、２６…制御部、２８…撮像素子、３０…記録媒体、３２…操作部。
【図１】
0005440002.tif 000002
【図２】
0005440002.tif 000003
【図３】
0005440002.tif 000004
【図４】
0005440002.tif 000005
【図５】
0005440002.tif 000006
【図６】
0005440002.tif 000007
【図７】
0005440002.tif 000008
【図８】
0005440002.tif 000009
【図９】
0005440002.tif 000010
【図１０】
0005440002.tif 000011
【図１１】
0005440002.tif 000012
【図１２】
0005440002.tif 000013
【図１３】
0005440002.tif 000014
【図１４】
0005440002.tif 000015
【図１５】
0005440002.tif 000016